(57)【要約】【課題】装着時には膣開口部周辺に異物が無く、伸縮性に富む柔軟な素材の使用を可能とすることにより自然に近い触感を実現すると共に、使用時にあっては女性の体の自然な形状を損なうことなく、又、視覚や触覚によってコンドームの挿入口を確認することなくペニスを挿入しても避妊及び接触性感染症を防ぐ効果の高い、使い勝手のよい女性装着型コンドームを供すること。【解決手段】伸縮性に富む材質の薄膜で成形された袋状体１の開口部近くの側面に穴４を形成し、位置固定用具（リング８）を配する。膣に挿入する筒状体３に伸縮性を抑える補強手段を配すると共に、少なくともペニス挿入口７周辺つまり、着用時に於ける膣開口部周辺に対応する部位をロート状とする。袋状体１の開口部に設けた補強材６Ａには巻き取り具１１を形成する。【選択図】          図１
2005046166.tif 000002
【特許請求の範囲】
【請求項１】
伸縮性に富む柔軟な材質の薄膜で成形された上部に開口部を設けた袋状体であり、この開口部近くの側面に２カ所の穴を形成し、袋状体の下部を膣内挿入可能な筒状体とし、膣内固定具を配してある女性装着型コンドーム。
【請求項２】
筒状体の全体もしくは一部に伸縮を押さえるための補強手段を配した請求項１に記載する女性装着型コンドーム。
【請求項３】
少なくとも、筒状体の装着時に於ける膣開口部に位置する付近をロート状に形成した請求項１、２に記載する女性装着型コンドーム。
【請求項４】
伸縮を押さえるための補強手段を布状薄膜とする請求項１、２、３に記載する女性装着型コンドーム。
【請求項５】
袋状体の開口部に袋状体を巻き取るための巻き取り具を配した請求項１、２、３、４に記載する女性装着型コンドーム。
【請求項６】
膣に挿入する筒状体の胴部に、柔軟な素材による糸、紐あるいは帯を、螺旋もしくは網目状に配した請求項１、２、３、４、５に記載する女性装着型コンドーム。
【請求項７】
請求項６に記載した紐あるいは帯に長手方向に切れ込みを入れて細い溝を形成した請求項１、２、３、４、５、６に記載する女性装着型コンドーム。
【発明の詳細な説明】
【０００１】
【発明が属する技術分野】
本発明は女性が装着するコンドームに関するものであり、装着時に情感を損なうことなく自然な感触を確保し、避妊に関する安全性を向上させると共に、使い勝手がよく、接触性感染症の予防効果を高める女性装着型コンドームを供するものである。
【０００２】
【従来の技術】
従来の女性が装着するコンドームは、合成樹脂の薄膜による袋の開口部切断面に沿って硬度のある弾性体で成形されたリングを取り付け、袋内に弾性体で成形された膣内部固定用のリングを配したものであり、一般的な男性装着型コンドームに比べ伸縮性に乏しく厚手の素材が使用されている。
【０００３】
上記素材はリングを使った固定方法に於いて一定の強度を保つために求められる特性であり、伸縮性に乏しく厚手であるということによる使用感の不自然さがあった。
【０００４】
又、ペニス挿入口周辺に当たる袋体開口部に補強及び陥没防止用の大きなリングを形成していることは、誤ってコンドームの外にペニスを挿入することや使用時に膣内にコンドームが押し込まれることを避けるために求められる形状であるが、上記の輪の部分が膣外に露出してぶら下がり、異物感が有って情感を著しく損なうものであった。
【０００５】
上記に関係する特許・実用新案の出願は、実開昭５０−９４７９０、実開昭５２−９９６９７、実開昭５９−１３７７１４、実開昭６０−３０２１３、実開昭６３−１５４０１９、実開昭６４−１７２２５、特開平２−１４４０５７、特表平４−５０２７１０、実開平４−１３３８２１、特開平９−１９４５４、特開平１０−２４３９５６と数が多い。
【０００６】
ここに挙げた出願はコンドームの形状と材質との関係、および使用感について言及されていない。形状から規定される材質および材料の厚みが、堅かったり厚かったりした場合には、使用感が不自然で使い心地の悪いものにならざるを得ない。
【０００７】
これらの出願が従来、一般的に市販されている女性着用型コンドームと違って特徴づけられる点の一つは装着方法にあり、大きくはＡ、不織布あるいはゴム製のパンツにコンドームを取り付けたもの、Ｂ、紐・バンドを大腿部あるいは腰に結んで固定するもの、Ｃ、コンドームの膣より外部に露出した部分を広げて接着片とし、接着剤等により固定するものに分けられる。
【０００８】
ウとして挙げた接着片を有する女性着用型コンドームでは接着片の形状を安定させるために別の素材と接合する必要が生じる。一体成形にする場合には材質にある程度の硬度を持たせるか接着剤を塗布する部位をかなり厚く成形する必要があり、接着片を体に張りつけることから使用感にも問題が生じる。
【０００９】
潤滑剤塗布の作業と、糊付け、剥離紙の張り付けなどの作業が重なることから合理的な方法とは言い難い。腹部、臀部への張りつけも面倒である。
【００１０】
イとして挙げたバンド、紐を使った固定方では膣開口部から外側への引っ張りの方向を３６０度均一に保つことが難しく、偏りを生じやすい。また、紐あるいはバンドとコンドームの接合点には力が加わることから、材質にある程度の硬度を持たせるか、紐やバンドと接合する部位をかなり厚く成形するか、もしくは一部を別の材質に置き換える必要が生じる。
【００１１】
又、使用中の位置固定能力にも問題がある。
【００１２】
ウとして挙げたパンツに取り付ける方法では、パンツのサイズは個人差が大きく、複数のサイズを用意する必要が生じると共に、パンツそのものの製作に費用もかかる。又、パンツを着用したままの行為と同じであり、使用感に疑問が生じる。装着者の体型による膣の位置の違いにも十分対応できるとは考えにくい。
【００１３】
着用者の体型によって膣の位置が変わってくるがこのことについて言及されたものがない。
【００１４】
パンツがゴム製であった場合はサイズに柔軟性が生じるが、一般的なパンツの形状であるとすればコストが大きくなる。また、体型による膣の位置の違いに対応できない点は布製パンツと同様である。
【００１５】
ゴム製パンツにコンドームを取り付けたものはあるがコンドームを大きく引き伸ばして着用可能にしたものは見られない。コンドームを引き伸ばして着用可能にした方が製作コストを節減し、使用感の優れた女性着用型コンドームが作成可能となる。
【００１６】
コンドームと一体成形された小さなパンツを引き伸ばして使用すれば上記課題は解決できるが、大きく引き伸ばして着用することを想定した出願はなされていない。引き伸ばすためには材質に大きな伸縮性が要求される。つまり、膣内に挿入される筒状体にも大きな伸縮性を与えることになる。
【００１７】
筒状体が伸縮性の大きな薄膜の場合、性交時に筒状体がペニスに張りつき、挿入運動と共に筒状体が伸び縮みしながら膣内を移動することになって、男性着用型のコンドームの使用感と変わらなくなる。また、運動にともない破損の危険性も生じる。
【００１８】
女性着用型コンドームに於いて、いかに薄型化を図るか、又、薄型化による材質の強度をいかに保つか、薄型化を図った場合に膣内に於いてコンドームの位置のずれを防ぎ、変形することを防いで形状をいかに保つかという点について言及されたものがない。
【００１９】
【発明が解決しようとする課題】
装着時にあってペニス挿入口周辺に異物が無く、伸縮性に富み薄く柔軟な素材を用いて可能な限り自然に近い触感（使用していないような感触）と女性の体の形状を保つこと、又、視覚や触覚によってコンドームの挿入口を確認することなくペニスを挿入しても避妊に関する安全性が確保できること、女性の局部周辺をコンドームによって被い、接触性感染症を防ぐことができることを目的とする使い勝手のよい女性装着型コンドームを供すること。
【００２０】
【課題を解決するための手段】
本発明は、伸縮性に富む柔軟な材質の薄膜で成形された上部に開口部を設けた袋状体であり、この開口部近くの側面に２カ所の穴を形成し、袋状体下部を膣内挿入可能な筒状体とし、膣内固定具を配してある女性装着型コンドームとする。
【００２１】
上記筒状体の全体もしくは一部に伸縮を押さえるための補強手段を配する。
【００２２】
又、少なくとも、筒状体の装着時に於ける膣開口部に位置する付近をロート状に形成する。
【００２３】
上記の、伸縮を押さえるための補強手段を布状薄膜とする。
【００２４】
上記、袋状体の開口部に袋状体を巻き取るための巻き取り具を配する。
【００２５】
膣に挿入する筒状体の胴部に、柔軟な素材による糸、紐あるいは帯を、螺旋もしくは網目状に配する。
【００２６】
上記の紐あるいは帯に長手方向に切れ込みを入れて細い溝を形成する。
【００２７】
【発明の実施の形態】
発明の実施の形態を実施例にもとづき図面を参照して説明する。
【００２８】
図１は袋状体１をロート状にし、伸縮を押さえる補強手段９を布状薄膜とした場合の形状を示す本発明に於ける実施形態１全体の斜視図である。
【００２９】
本体である袋状体１は伸縮性に富むゴム状の薄膜で形成され、円錐体２と筒状体３によって構成される。円錐体２の側面の２カ所に穴４を開け、下部にのびた筒状体３の先端５を閉じる。
【００３０】
袋状体開口部１０の周囲にはゴム状の輪による補強材６Ａを形成し、円錐体側面の穴４の周囲にはゴム状の輪による補強材６Ｂをそれぞれ設ける。
【００３１】
装着時に膣開口部に位置する部位をペニス挿入口７とし、筒状体３の先端５には内部固定用具８を設ける。
【００３２】
内部固定用具８は筒状体の内部に入れて膣内に挿入され、子宮を被うように配され膣壁に圧着する。実施例では内部固定用具８を位置固定用リングとするが腕状体であっても同様の働きをする。
【００３３】
膣に挿入する筒状体３の胴部側面には伸縮を押さえる補強手段９を帯状に配して、筒状体３がペニスとの摩擦やペニスへの張りつきによってに生じる伸縮と変形を防ぐ。
【００３４】
伸縮を押さえる補強手段９は筒状体３の全面に施すことも可能であるが、使用感の良さを確保するためには出来る限り少ない面積とすることが望まれる。
【００３５】
伸縮を押さえる補強手段９を帯状とし、その面積を最小に押さえて施す場合には内部固定用具８を伸縮を押さえる補強手段９からずれないように接合する必要がある。
【００３６】
図１に於ける実施形態１のように、筒状体３のうち上方半分程度に伸縮を押さえる補強手段９帯状に配し、内部固定用具８の設置される周辺つまり筒状体３の下方半分程度の大部分に伸縮を押さえる補強手段９が施される場合には固定の必要が生じない。
【００３７】
補強材を施さずに筒状体を肉厚に形成するか、筒状体の全体あるいは一部の材質を伸縮性の乏しいものに置き換えても同様の効果を発揮する。
【００３８】
伸縮を押さえる補強手段９をナイロン等の布状薄膜として筒状体の側面に張りつけることは製作工程上の無理が無く、比較的低コストで実現できる。
【００３９】
伸縮を押さえる補強手段９を施すことにより伸縮性に富む柔軟な素材の使用が可能となり使用感の向上が図れる。また、小型の円錐体２を引き伸ばして着用し、外部固定具とすることが可能となる。
【００４０】
円錐体２には装着のしやすさや体型を考慮したゆがみを持たせることが可能である。
【００４１】
使用に当たっては袋状体１の開口部１０を引き伸ばして足をいれ、袋状体１の側面に設けた二つの穴４のそれぞれから足を出して、袋状体開口部１０の補強材６Ａを腰まで引き上げる。袋状体１を引き延ばして着用することにより、装着時に於ける膣開口部の異物は存在しなくなる。
【００４２】
又、膣開口部周辺がコンドームで被われるため、接触性感染症伝染の可能性が極めて薄くなる。
【００４３】
円錐体２が外部での固定の役割を果たし、膣内に挿入された筒状体３の先端が筒状体３内部に入れられた内部固定用具８と共に子宮を包むように配されて膣壁に圧着し、内部での固定をする。
【００４４】
上記のことから伸縮性に富み柔軟でより薄い素材の使用が可能となって、自然な感触の女性装着型コンドームが実現できる。
【００４５】
袋状体開口部１０の補強材６Ａには装着時に於ける前部と後部にそれぞれ袋状体１を巻き取るための巻き取り具１１を設けることが可能である。
【００４６】
補強材６Ａには円錐体２を形成するゴム状薄幕を巻き取るために、着用時に於ける前部の巻き取り具１１Ａ及び後部の巻き取り具１１Ｂを配する。
【００４７】
装着時に円錐体２の前部あるいは後部を巻き取ることにより、膣開口部とコンドームのペニス挿入口７の位置を一致させることが可能であり、位置を調節した後にペニス挿入部に当たる筒状体３を内部固定用具８と共に膣内に押し込んで装着する。
【００４８】
前部の巻き取り具１１Ａ及び後部の巻き取り具１１Ｂの両方を巻き取ることによってサイズを合わせることが可能で、大きさについての対応力に幅を持たせることが出来る。
【００４９】
図２は図１に於ける実施形態１全体の形状の側面を示す斜視図である。
【００５０】
装着時における円錐体２の前部の長さＬ１、つまりペニス挿入口７から補強材６Ａ前部までの距離が装着時における円錐体２の後部の長さＬ２、つまりペニス挿入口７から補強材６Ａ後部までの距離よりも短くなるように形成する。
【００５１】
装着に当たっては巻き取り具１１Ａあるいは巻き取り具１１Ｂを回転させ円錐体２を巻き取って長さを調節し、ペニス挿入口７を膣開口部と一致させる。
【００５２】
図３は本発明を装着した場合の形状を斜視図で示したイメージ図である。
【００５３】
袋状体１をロート状にした場合やペニス挿入口７周辺がロート状であった場合には、円錐体を引き延ばし腰まで引き上げて使用するが、円錐体２は補強材６Ａから下部に向かって順次引き延ばされるため、膣開口部に対応する部位つまりペニス挿入口７付近では引き延ばされることが無く、装着に当たり無理な力を膣開口部に与えることがない。このことにより自然な着用感と使用感を得ることができる。
【００５４】
図４は、筒状体３を膣内へ挿入する場合の斜視図によるイメージ図である。
【００５５】
筒状体３の膣内への挿入は内部固定用具８を指でつまんで押さえながら筒状体３を裏返すように膣内に押し込む。
【００５６】
図５は実施形態２に於ける筒状体３の一部断面を含む斜視図による部分拡大図であり、膣に挿入する筒状体３の胴部に、柔軟な素材による紐１２を網目状に配した状体を示すものである。紐１２を糸や帯１３に入れ替えてもほぼ同様の形状を示す。
【００５７】
膣に挿入する筒状体３の胴部膣側に柔軟な素材による糸、紐１２あるいは帯１３を、螺旋もしくは網目状に配すことにより、筒を補強するとともに糸、紐１２あるいは帯１３が膣の内壁に食い込み、膣に対するコンドームの位置のずれを防ぐ事が出来る。
【００５８】
また、紐１２や帯１３が筒状体３の内側にも盛り上がることからペニスとコンドームの接触面積を減らし、コンドームにペニスの張り付くことを防ぐ。以上のことによりコンドームの膣に対する位置のずれと変形を押さえることができる。
【００５９】
図６は筒状体３の胴部に柔軟な素材による紐１２を配した実施形態２に於ける筒状体３を長手方向に対し垂直に切断して示した拡大断面図である。
【００６０】
紐１２が膣の内壁に食い込んで、膣と筒状体の位置のずれを防ぐ。
【００６１】
又、紐１２が筒状体３の内側にも凸部を形成することから、筒状体３とペニスとの接触面を減らしペニスに筒状体３を形成するゴム状の薄膜が張りつくことを防ぐ。
【００６２】
筒状体３を形成するゴム状の薄膜と紐１２との間に隙間１４を形成し、膣分泌液を吸収する。ペニスの挿入運動によって膣分泌液は膣外に押し出される。
【００６３】
図７は筒状体３の胴部に柔軟な素材による帯１３を配した実施形態３に於ける筒状体３を長手方向に対し垂直に切断して示した拡大断面図である。
【００６４】
帯１３が膣の内壁に食い込んで、膣と筒状体の位置のづれを防ぐ。
【００６５】
紐１２の代わりに帯１３に替えても効果に大きな違いは生じないが、筒状体３の形状を安定させることとペニスと筒状体３の接触面積を減らし、筒状体３を形成するゴムの薄膜とペニスが張りつくことを防ぐ効果を高める。
【００６６】
図８は切れ込みを入れて細い溝１５Ａを形成した柔軟な素材による紐１２を筒状体３の胴部に配した実施形態４に於ける筒状体３を長手方向に対し垂直に切断して示した拡大断面図である。
【００６７】
紐１２に刻まれた細い溝１５Ａが膣分泌液の吸収する効果が生じる。このことによりコンドームと膣の摩擦抵抗を増し、コンドームの膣に対する位置のずれを押さえてコンドームの変形を防ぐ効果が生じる。
【００６８】
図９は切れ込みを入れて細い溝１５Ａと１５Ｂを形成した柔軟な素材による帯１３を筒状体３の胴部に配した実施形態５に於ける筒状体３を長手方向に対し垂直に切断して示した断面図である。
【００６９】
紐１２の代わりに帯１３に替えても効果に大きな違いは生じないが、細い溝１５Ｂを刻むことが出来、摩擦抵抗を高め、膣分泌液の吸収を高める効果が生じる。
【００７０】
【発明の効果】
本発明は伸縮性に富む柔軟な材質の薄膜で成形された上部に開口部を設けた袋状体であり、この開口部近くの側面に２カ所の穴を形成し、袋状体の下部を膣内挿入可能な筒状体とし、膣内固定具を配してある女性装着型コンドームであるため次の効果を奏する。
【００７１】
装着時にあって膣開口部周辺に異物が無く女性の体の形状を保つことから、使用に当たって情感を損ねることなく自然な使い心地を得ることが出来る。
【００７２】
膣開口部の周囲がコンドームによって被われていることから視覚や触覚によってコンドームの挿入口を確認することなくペニスを挿入しても避妊に関する安全性が確保できる。
【００７３】
又、膣開口部の周辺がコンドームによって被われていることから接触性感染症の予防効果を高めることができる。
【００７４】
本発明は筒状体の全体もしくは一部に伸縮を押さえるための補強手段を配した請求項１に記載する女性装着型コンドームであるため次の効果を奏する。
【００７５】
補強手段を配したことにより筒状体３の強度を高め、より柔軟で伸縮性に富む素材の使用が可能となり、厚さを押さえて極薄手に成形できることから自然に近い触感（使用していないような触感）が得られ、使用感の良い女性装着型コンドームとすることが出来る。
【００７６】
伸縮性に富む材質の素材による成形が可能となることから製品にサイズの柔軟性が生じ、広い範囲の体型に対応できるようになると共に自然な装着感が得られる。
【００７７】
伸縮を抑える補強手段が筒状体３の強度を高め、ペニスとの摩擦やペニスへの張りつきによってに生じる変形を防ぐことが出来る。
【００７８】
本発明は少なくとも、筒状体の装着時に於ける膣開口部に位置する付近をロート状に形成した請求項１、２に記載する女性装着型コンドームであるため次の効果を奏する。
【００７９】
袋状体１全体が伸縮性に富む材質の素材で形成され、筒状体の装着時に於ける膣開口部に位置する付近つまり、ペニス挿入口７周辺がロート状を呈する形状をしているため、袋状体の開口部１０を引き伸ばして着用しても着用者には無理な力が加わらず、特に膣開口部付近には引き伸ばしの力が及ばずに自然な着用感と使用感が得られる。
【００８０】
本発明は伸縮を押さえるための補強手段を布状薄膜とする請求項１、２、３に記載する女性装着型コンドームであるため次の効果を奏する。
【００８１】
補強手段９をナイロン等の布状薄膜として筒状体３の側面に張りつけることは製作工程上無理が無く、比較的低コストで実現できる。
【００８２】
本発明は袋状体の開口部に袋状体を巻き取るための巻き取り具を配した請求項１、２、３、４に記載する女性装着型コンドームであるため次の効果を奏する。
【００８３】
装着時に巻き取り具１１Ａあるいは巻き取り具１１Ｂを回転させて袋状体１を巻き取り、着用時に於ける前部と後部の長さを調節してペニス挿入口７を膣開口部と一致させことが出来るため、体型に応じた膣の位置の違いに対応できる。又、サイズの適応性の幅も更に広がる。
【００８４】
本発明は膣に挿入する筒状体の胴部に、柔軟な素材による糸、紐あるいは帯を、螺旋もしくは網目状に配した請求項１、２、３、４、５に記載する女性装着型コンドームであるため次の効果を奏する。
【００８５】
糸、紐１２あるいは帯１３が膣の内壁に食い込んで、膣と筒状体の位置のずれを押さえ、コンドームの変形とそれを原因とする破損を防ぐと共に、補強効果を有することから製品の薄型化がはかれ使用感の向上が図れる。
【００８６】
本発明は請求項６に記載した紐あるいは帯に長手方向に切れ込みを入れて細い溝を形成した請求項１、２、３、４、５、６に記載する女性装着型コンドームであるため次の効果を奏する。
【００８７】
紐１２に刻まれた細い溝１５Ａ及び、帯１３に刻まれた細い溝１５Ａ，１５Ｂが膣分泌液を吸収する効果を持つことからコンドームと膣の摩擦抵抗を増し、コンドームの膣に対する位置のずれを押さえてコンドームの変形とそれを原因とする破損を防ぐ効果が生じる。
【図面の簡単な説明】
【図１】本発明の実施形態１全体の形状を示す斜視図である。
【図２】本発明の実施形態１全体の形状の側面を示す斜視図である。
【図３】装着時の形状を斜視図で示したイメージ図である。
【図４】筒状体を膣内へ挿入する場合の斜視図によるイメージ図である。
【図５】実施形態２に於ける筒状体の一部断面を含む斜視図による部分拡大図である。
【図６】実施形態２に於ける筒状体を長手方向に対し垂直に切断した拡大断面図である。
【図７】実施形態３に於ける筒状体を長手方向に対し垂直に切断した拡大断面図である。
【図８】実施形態４に於ける筒状体を長手方向に対し垂直に切断した拡大断面図である。
【図９】実施形態５に於ける筒状体を長手方向に対し垂直に切断した拡大断面図である。
【符号の説明】
１  袋状体
２  円錐体
３  筒状体
４  穴
５  筒状体の先端
６  袋状体の補強材
６Ａ  袋状体開口部の補強材
６Ｂ  側面の穴の補強材
７  ペニス挿入口
８  位置固定用リング
９  伸縮を押さえる補強手段
１０  袋状体開口部
１１  巻き取り具
１１Ａ  前部の巻き取り具
１１Ｂ  後部の巻き取り具
１２  紐
１３  帯
１４  隙間
１５  細い溝
１５Ａ  細い溝
１５Ｂ  細い溝
Ｌ１  円錐体前部の長さ、
Ｌ２  円錐体後部の長さ
【図１】
2005046166.tif 000003
【図２】
2005046166.tif 000004
【図３】
2005046166.tif 000005
【図４】
2005046166.tif 000006
【図５】
2005046166.tif 000007
【図６】
2005046166.tif 000008
【図７】
2005046166.tif 000009
【図８】
2005046166.tif 000010
【図９】
2005046166.tif 000011
【手続補正書】
【提出日】平成14年11月8日(2002.11.8)
【手続補正１】
【補正対象書類名】明細書
【補正対象項目名】全文
【補正方法】変更
【補正の内容】
【特許請求の範囲】
【請求項１】伸縮性に富む柔軟な材質の薄膜で成形され、上部に端辺が補強材によって補強され、袋状体の上部を引き延ばして両足を通して着用するための開口部を設けた袋状体であり、この開口部近くの側面に端辺が補強材によって補強された片足を通すための２カ所の穴を形成し、これに足を通して袋状体開口部を腰に向かって引き上げて装着し、袋状体の下部を膣内挿入可能な筒状体とし、前記筒状体の全体もしくは一部に伸縮を押さえるための布状薄膜による補強手段を配し、膣内固定具を配してある女性装着型コンドーム。
【請求項２】伸縮性に富む柔軟な材質の薄膜で成形され、上部に端辺が補強材によって補強され、袋状体の上部を引き延ばして両足を通して着用するための開口部を設けた袋状体であり、この開口部近くの側面に端辺が補強材によって補強された片足を通すための２カ所の穴を形成し、これに足を通して袋状体開口部を腰に向かって引き上げて装着し、袋状体の下部を膣内挿入可能な筒状体とし、前記筒状体の全体もしくは一部に伸縮を押さえるための糸、紐あるいは帯による螺旋あるいは網状の補強手段を配し、膣内固定具を配してある女性装着型コンドーム。
【請求項３】前記糸、紐あるいは帯を、長手方向に切れ込みを入れて細い溝を形成した柔軟な素材による糸、紐あるいは帯とする請求項２に記載した女性装着型コンドーム。
【請求項４】袋状体開口部の前面と後面のそれぞれに、開口部補強材に巻き取り具を設け、膣開口部と袋状体に於けるペニス挿入口の位置を一致させるための調節を可能とし、両面を巻き取ることによって袋状体のサイズを調節可能とした請求項１〜３のいずれかに記載した女性装着型コンドーム。
【発明の詳細な説明】
【０００１】
【発明が属する技術分野】本発明は女性が装着するコンドームに関するものであり、装着時に情感を損なうことなく自然な感触を確保し、避妊に関する安全性を向上させると共に、使い勝手がよく、接触性感染症の予防効果を高める女性装着型コンドームを供するものである。
【０００２】
【従来の技術】従来の女性が装着するコンドームは、合成樹脂の薄膜による袋の開口部切断面に沿って硬度のある弾性体で成形されたリングを取り付け、袋内に弾性体で成形された膣内部固定用のリングを配したものであり、一般的な男性装着型コンドームに比べ伸縮性に乏しく厚手の素材が使用されている。
【０００３】上記素材はリングを使った固定方法に於いて一定の強度を保つために求められる特性であり、伸縮性に乏しく厚手であるということによる使用感の不自然さがあった。
【０００４】又、ペニス挿入口周辺に当たる袋体開口部に補強及び陥没防止用の大きなリングを形成していることは、誤ってコンドームの外にペニスを挿入することや使用時に膣内にコンドームが押し込まれることを避けるために求められる形状であるが、上記の輪の部分が膣外に露出してぶら下がり、異物感が有って情感を著しく損なうものであった。
【０００５】上記に関係する特許・実用新案の出願は、ａ実開昭５０−９４７９０、ｂ実開昭５２−９９６９７、ｃ実開昭５９−１３７７１４、ｄ実開昭６０−３０２１３、ｅ実開昭６３−１５４０１９、ｆ実開昭６４−１７２２５、ｇ特開平２−１４４０５７、ｈ特表平４−５０２７１０、ｉ実開平４−１３３８２１、ｊ特開平９−１９４５４、ｋ特開平１０−２４３９５６と数が多い。
【０００６】ここに挙げた出願はコンドームの形状と材質との関係、および使用感について言及されていない。形状から規定される材質および材料の厚みが、堅かったり厚かったりした場合には、使用感が不自然で使い心地の悪いものにならざるを得ない。
【０００７】これらの出願が従来、一般的に市販されている女性着用型コンドームと違って特徴づけられる点の一つは装着方法にあり、大きくはＡ、不織布あるいはゴム製のパンツにコンドームを取り付けたもの、Ｂ、紐・バンドを大腿部あるいは腰に結んで固定するもの、Ｃ、コンドームの膣より外部に露出した部分を広げて接着片とし、接着剤等により固定するものに分けられる。
【０００８】接着片を有する女性着用型コンドームでは接着片の形状を安定させるために別の素材と接合する必要が生じる。一体成形にする場合には材質にある程度の硬度を持たせるか接着剤を塗布する部位をかなり厚く成形する必要があり、接着片を体に張りつけることから使用感にも問題が生じる。
【０００９】潤滑剤塗布の作業と、糊付け、剥離紙の張り付けなどの作業が重なることから合理的な方法とは言い難い。腹部、臀部への張りつけも面倒である。
【００１０】バンド、紐を使った固定方では膣開口部から外側への引っ張りの方向を３６０度均一に保つことが難しく、偏りを生じやすい。また、紐あるいはバンドとコンドームの接合点には力が加わることから、材質にある程度の硬度を持たせるか、紐やバンドと接合する部位をかなり厚く成形するか、もしくは一部を別の材質に置き換える必要が生じる。
【００１１】又、使用中の位置固定能力にも問題がある。
【００１２】パンツに取り付ける方法では、パンツのサイズは個人差が大きく、複数のサイズを用意する必要が生じると共に、パンツそのものの製作に費用もかかる。又、パンツを着用したままの行為と同じであり、使用感に疑問が生じる。装着者の体型による膣開口部の相対的な位置関係の違いにも十分対応できるとは考えにくい。
【００１３】着用者の体型によって膣開口部の位置が変わってくるがこのことについて言及されたものがない。
【００１４】パンツがゴム製であった場合はサイズに柔軟性が生じるが、一般的なパンツの形状であるとすればコストが大きくなる。また、体型による膣開口部の位置の違いに対応できない点は布製パンツと同様である。
【００１５】ゴム製パンツにコンドームを取り付けたものはあるがコンドームを大きく引き伸ばして着用可能にしたものは見られない。コンドームを引き伸ばして着用可能にした方が製作コストを節減し、使用感の優れた女性着用型コンドームが作成可能となる。
【００１６】コンドームと一体成形された小さなパンツを引き伸ばして使用すれば上記課題は解決できるが、大きく引き伸ばして着用することを想定した出願はなされていない。引き伸ばすためには材質に大きな伸縮性が要求される。つまり、膣内に挿入される筒状体にも大きな伸縮性を与えることになる。
【００１７】筒状体が伸縮性の大きな薄膜の場合、性交時に筒状体がペニスに張りつき、挿入運動と共に筒状体が伸び縮みしながら膣内を移動することになって、男性着用型のコンドームの使用感と変わらなくなる。また、運動にともない破損の危険性も生じる。
【００１８】女性着用型コンドームに於いて、いかに薄型化を図るか、又、薄型化による材質の強度をいかに保つか、薄型化を図った場合に膣内に於いてコンドームの位置のずれを防ぎ、変形することを防いで形状をいかに保つかという点について言及されたものがない。
【００１９】
【発明が解決しようとする課題】装着時にあってペニス挿入口周辺に異物が無く、伸縮性に富み薄く柔軟な素材を用いて可能な限り自然に近い触感（使用していないような感触）と女性の体の形状を保つこと、又、視覚や触覚によってコンドームの挿入口を確認することなくペニスを挿入しても避妊に関する安全性が確保できること、女性の局部周辺をコンドームによって被い、接触性感染症を防ぐことができることを目的とする使い勝手のよい女性装着型コンドームを供すること。
【００２０】
【課題を解決するための手段】
伸縮性に富む柔軟な材質の薄膜で成形され、上部に端辺が補強材によって補強され、袋状体の上部を引き延ばして両足を通して着用するための開口部を設けた袋状体であり、この開口部近くの側面に端辺が補強材によって補強された片足を通すための２カ所の穴を形成し、これに足を通して袋状体開口部を腰に向かって引き上げて装着し、袋状体の下部を膣内挿入可能な筒状体とし、前記筒状体の全体もしくは一部に伸縮を押さえるための布状薄膜による補強手段を配し、膣内固定具を配してある女性装着型コンドームを供する。
【００２１】
伸縮性に富む柔軟な材質の薄膜で成形され、上部に端辺が補強材によって補強され、袋状体の上部を引き延ばして両足を通して着用するための開口部を設けた袋状体であり、この開口部近くの側面に端辺が補強材によって補強された片足を通すための２カ所の穴を形成し、これに足を通して袋状体開口部を腰に向かって引き上げて装着し、袋状体の下部を膣内挿入可能な筒状体とし、前記筒状体の全体もしくは一部に伸縮を押さえるための糸、紐あるいは帯による螺旋あるいは網状の補強手段を配し、膣内固定具を配してある女性装着型コンドームを供する。
【００２２】
前記糸、紐あるいは帯を、長手方向に切れ込みを入れて細い溝を形成した柔軟な素材による糸、紐あるいは帯とする女性装着型コンドームを供する。
【００２３】
袋状体開口部の前面と後面のそれぞれに、開口部補強材に巻き取り具を設け、膣開口部と袋状体に於けるペニス挿入口の位置を一致させるための調節を可能とし、両面を巻き取ることによって袋状体のサイズを調節可能とした女性装着型コンドームを供する。
【００２４】
【発明の実施の形態】発明の実施の形態を実施例に基づき図面を参照して説明する。
【００２５】図１は袋状体１をロート状にし、伸縮を押さえる補強手段９を布状薄膜とした場合の形状を示す本発明に於ける実施形態１全体の斜視図である。
【００２６】本体である袋状体１は伸縮性に富むゴム状の薄膜で形成され、円錐体２と筒状体３によって構成される。円錐体２の側面の２カ所に穴４を開け、下部にのびた筒状体３の先端５を閉じる。
【００２７】袋状体開口部１０の周囲にはゴム状の輪による補強材６Ａを形成し、円錐体側面の穴４の周囲にはゴム状の輪による補強材６Ｂをそれぞれ設ける。
【００２８】装着時に膣開口部に位置する部位をペニス挿入口７とし、筒状体３の先端５には膣内固定具としての内部固定用具８を設ける。
【００２９】内部固定用具８は筒状体の内部に入れて膣内に挿入され、子宮を被うように配され膣壁に圧着する。実施例では内部固定用具８を位置固定用リングとするが腕状体であっても同様の働きをする。
【００３０】膣に挿入する筒状体３の胴部側面には伸縮を押さえる補強手段９を帯状に配して、筒状体３がペニスとの摩擦やペニスへの張りつきによってに生じる伸縮と変形を防ぐ。
【００３１】伸縮を押さえる補強手段９は筒状体３の全面に施すことも可能であるが、使用感の良さを確保するためには出来る限り少ない面積とすることが望まれる。
【００３２】伸縮を押さえる補強手段９を帯状とし、その面積を最小に押さえて施す場合には内部固定用具８を伸縮を押さえる補強手段９からずれないように接合する必要がある。
【００３３】図１に於ける実施形態１のように、筒状体３のうち上方半分程度に伸縮を押さえる補強手段９帯状に配し、内部固定用具８の設置される周辺つまり筒状体３の下方半分程度の大部分に伸縮を押さえる補強手段９が施される場合には固定の必要が生じない。
【００３４】補強材を施さずに筒状体を肉厚に形成するか、筒状体の全体あるいは一部の材質を伸縮性の乏しいものに置き換えても同様の効果を発揮する。
【００３５】伸縮を押さえる補強手段９をナイロン等の布状薄膜として筒状体の側面に張りつけることは製作工程上の無理が無く、比較的低コストで実現できる。
【００３６】伸縮を押さえる補強手段９を施すことにより伸縮性に富む柔軟な素材の使用が可能となり使用感の向上が図れる。また、小型の円錐体２を引き伸ばして着用し、外部固定具とすることが可能となる。
【００３７】円錐体２には装着のしやすさや体型を考慮したゆがみを持たせることが可能である。
【００３８】使用に当たっては袋状体１の開口部１０を引き伸ばして足をいれ、袋状体１の側面に設けた二つの穴４のそれぞれから足を出して、袋状体開口部１０の補強材６Ａを腰まで引き上げる。袋状体１を引き延ばして着用することにより、装着時に於ける膣開口部の異物は存在しなくなる。
【００３９】又、膣開口部周辺がコンドームで被われるため、接触性感染症伝染の可能性が極めて薄くなる。
【００４０】円錐体２が外部での固定の役割を果たし、膣内に挿入された筒状体３の先端が筒状体３内部に入れられた内部固定用具８と共に子宮を包むように配されて膣壁に圧着し、内部での固定をする。
【００４１】上記のことから伸縮性に富み柔軟でより薄い素材の使用が可能となって、自然な感触の女性装着型コンドームが実現できる。
【００４２】袋状体開口部１０の補強材６Ａには装着時に於ける前部と後部にそれぞれ袋状体１を巻き取るための巻き取り具１１を設けることが可能である。
【００４３】
補強材６Ａには円錐体２を形成するゴム状薄幕を巻き取るために、着用時に於ける前部の巻き取り具１１Ａ及び後部の巻き取り具１１Ｂを配する。
【００４４】装着時に円錐体２の前部あるいは後部を巻き取ることにより、膣開口部とコンドームのペニス挿入口７の位置を一致させることが可能であり、位置を調節した後にペニス挿入部に当たる筒状体３を内部固定用具８と共に膣内に押し込んで装着する。
【００４５】前部の巻き取り具１１Ａ及び後部の巻き取り具１１Ｂの両方を巻き取ることによってサイズを合わせることが可能で、大きさについての対応力に幅を持たせることが出来る。
【００４６】図２は図１に於ける実施形態１全体の形状の側面を示す斜視図である。
【００４７】装着時における円錐体２の前部の長さＬ１、つまりペニス挿入口７から補強材６Ａ前部までの距離が装着時における円錐体２の後部の長さＬ２、つまりペニス挿入口７から補強材６Ａ後部までの距離よりも短くなるように形成する。
【００４８】装着に当たっては巻き取り具１１Ａあるいは巻き取り具１１Ｂを回転させ円錐体２を巻き取って長さを調節し、ペニス挿入口７を膣開口部と一致させる。
【００４９】
図３は本発明を装着した場合の形状を斜視図で示したイメージ図である。
【００５０】袋状体１をロート状にした場合やペニス挿入口７周辺がロート状であった場合には、円錐体を引き延ばし腰まで引き上げて使用するが、円錐体２は補強材６Ａから下部に向かって順次引き延ばされるため、膣開口部に対応する部位つまりペニス挿入口７付近では引き延ばされることが無く、装着に当たり無理な力を膣開口部に与えることがない。このことにより自然な着用感と使用感を得ることができる。
【００５１】図４は、筒状体３を膣内へ挿入する場合の斜視図によるイメージ図である。
【００５２】筒状体３の膣内への挿入は内部固定用具８を指でつまんで押さえながら筒状体３を裏返すように膣内に押し込む。
【００５３】図５は実施形態２に於ける筒状体３の一部断面を含む斜視図による部分拡大図であり、膣に挿入する筒状体３の胴部に、柔軟な素材による紐１２を網目状に配した状体を示すものである。紐１２を糸や帯１３に入れ替えてもほぼ同様の形状を示す。
【００５４】膣に挿入する筒状体３の胴部膣側に柔軟な素材による糸、紐１２あるいは帯１３を、螺旋もしくは網目状に配すことにより、筒を補強するとともに糸、紐１２あるいは帯１３が膣の内壁に食い込み、膣に対するコンドームの位置のずれを防ぐ事が出来る。
【００５５】また、紐１２や帯１３が筒状体３の内側にも盛り上がることからペニスとコンドームの接触面積を減らし、コンドームにペニスの張り付くことを防ぐ。以上のことによりコンドームの膣に対する位置のずれと変形を押さえることができる。
【００５６】図６は筒状体３の胴部に柔軟な素材による紐１２を配した実施形態２に於ける筒状体３を長手方向に対し垂直に切断して示した拡大断面図である。
【００５７】紐１２が膣の内壁に食い込んで、膣と筒状体の位置のずれを防ぐ。
【００５８】又、紐１２が筒状体３の内側にも凸部を形成することから、筒状体３とペニスとの接触面を減らしペニスに筒状体３を形成するゴム状の薄膜が張りつくことを防ぐ。
【００５９】筒状体３を形成するゴム状の薄膜と紐１２との間に隙間１４を形成し、膣分泌液を吸収する。ペニスの挿入運動によって膣分泌液は膣外に押し出される。
【００６０】図７は筒状体３の胴部に柔軟な素材による帯１３を配した実施形態３に於ける筒状体３を長手方向に対し垂直に切断して示した拡大断面図である。
【００６１】帯１３が膣の内壁に食い込んで、膣と筒状体の位置のづれを防ぐ。
【００６２】紐１２の代わりに帯１３に替えても効果に大きな違いは生じないが、筒状体３の形状を安定させることとペニスと筒状体３の接触面積を減らし、筒状体３を形成するゴムの薄膜とペニスが張りつくことを防ぐ効果を高める。
【００６３】図８は切れ込みを入れて細い溝１５Ａを形成した柔軟な素材による紐１２を筒状体３の胴部に配した実施形態４に於ける筒状体３を長手方向に対し垂直に切断して示した拡大断面図である。
【００６４】紐１２に刻まれた細い溝１５Ａが膣分泌液の吸収する効果が生じる。このことによりコンドームと膣の摩擦抵抗を増し、コンドームの膣に対する位置のずれを押さえてコンドームの変形を防ぐ効果が生じる。
【００６５】図９は切れ込みを入れて細い溝１５Ａと１５Ｂを形成した柔軟な素材による帯１３を筒状体３の胴部に配した実施形態５に於ける筒状体３を長手方向に対し垂直に切断して示した断面図である。
【００６６】紐１２の代わりに帯１３に替えても効果に大きな違いは生じないが、細い溝１５Ｂを刻むことが出来、摩擦抵抗を高め、膣分泌液の吸収を高める効果が生じる。
【００６７】
【発明の効果】
伸縮性に富む柔軟な材質の薄膜で成形され、上部に端辺が補強材によって補強され、袋状体の上部を引き延ばして両足を通して着用するための開口部を設けた袋状体であり、この開口部近くの側面に端辺が補強材によって補強された片足を通すための２カ所の穴を形成し、これに足を通して袋状体開口部を腰に向かって引き上げて装着し、袋状体の下部を膣内挿入可能な筒状体とし、前記筒状体の全体もしくは一部に伸縮を押さえるための布状薄膜による補強手段を配し、膣内固定具を配してある女性装着型コンドームであるため次の効果を奏する。
【００６８】装着時にあって膣開口部周辺に異物が無く女性の体の形状を保つことから、使用に当たって情感を損ねることなく自然な使い心地を得ることが出来る。膣開口部の周囲がコンドームによって被われていることから視覚や触覚によってコンドームの挿入口を確認することなくペニスを挿入しても避妊に関する安全性が確保できる。
【００６９】布状薄膜による補強手段を配したことにより筒状体３の強度を高め、より柔軟で伸縮性に富む素材の使用が可能となり、厚さを押さえて極薄手に成形できることから自然に近い触感（使用していないような触感）が得られ、使用感の良い女性装着型コンドームとすることが出来る。
【００７０】又、膣開口部の周辺がコンドームによって被われていることから接触性感染症の予防効果を高めることができる。
【００７１】補強手段９をナイロン等の布状薄膜として筒状体３の側面に張りつけることは製作工程上無理が無く、比較的低コストで実現できる。
伸縮性に富む材質の素材による成形が可能となることから製品にサイズの柔軟性が生じ、広い範囲の体型に対応できるようになると共に自然な装着感が得られるようになる。
【００７２】伸縮性に富む柔軟な材質の薄膜で成形され、上部に端辺が補強材によって補強され、袋状体の上部を引き延ばして両足を通して着用するための開口部を設けた袋状体であり、この開口部近くの側面に端辺が補強材によって補強された片足を通すための２カ所の穴を形成し、これに足を通して袋状体開口部を腰に向かって引き上げて装着し、袋状体の下部を膣内挿入可能な筒状体とし、前記筒状体の全体もしくは一部に伸縮を押さえるための糸、紐あるいは帯による螺旋あるいは網状の補強手段を配し、膣内固定具を配してある女性装着型コンドームであるため次の効果を奏する。
【００７３】補強手段が筒状体３の強度を高め、ペニスとの摩擦やペニスへの張りつきによってに生じる変形を防ぐことが出来る。糸、紐１２あるいは帯１３が膣の内壁に食い込んで、膣と筒状体の位置のずれを押さえ、コンドームの変形とそれを原因とする破損を防ぐと共に、補強効果を有することから製品の薄型化がはかれ使用感の向上が図れる。
【００７４】前記糸、紐あるいは帯を、長手方向に切れ込みを入れて細い溝を形成した柔軟な素材による糸、紐あるいは帯とする女性装着型コンドームであるため次の効果を奏する。
【００７５】紐１２に刻まれた細い溝１５Ａ及び、帯１３に刻まれた細い溝１５Ａ，１５Ｂが膣分泌液を吸収する効果を持つことからコンドームと膣の摩擦抵抗を増し、コンドームの膣に対する位置のずれを押さえてコンドームの変形とそれを原因とする破損を防ぐ効果が生じる。
【００７６】袋状体開口部の前面と後面のそれぞれに、開口部補強材に巻き取り具を設け、膣開口部と袋状体に於けるペニス挿入口の位置を一致させるための調節を可能とし、両面を巻き取ることによって袋状体のサイズを調節可能とした女性装着型コンドームであるため次の効果を奏する。
【００７７】
装着時に巻き取り具１１Ａあるいは巻き取り具１１Ｂを回転させて袋状体１を巻き取り、着用時に於ける前部と後部の長さを調節してペニス挿入口７を膣開口部と一致させことが出来るため、体型の違いによる身体における相対的な膣の位置関係の違いに対応できる。又、サイズの適応性の幅も更に広がる。
【図面の簡単な説明】
【図１】本発明の実施形態１全体の形状を示す斜視図である。
【図２】本発明の実施形態１全体の形状の側面を示す斜視図である。
【図３】装着時の形状を斜視図で示したイメージ図である。
【図４】筒状体を膣内へ挿入する場合の斜視図によるイメージ図である。
【図５】実施形態２に於ける筒状体の一部断面を含む斜視図による部分拡大図である。
【図６】実施形態２に於ける筒状体を長手方向に対し垂直に切断した拡大断面図である。
【図７】実施形態３に於ける筒状体を長手方向に対し垂直に切断した拡大断面図である。
【図８】
実施形態４に於ける筒状体を長手方向に対し垂直に切断した拡大断面図である。
【図９】実施形態５に於ける筒状体を長手方向に対し垂直に切断した拡大断面図である。
【符号の説明】
１  袋状体
２  円錐体
３  筒状体
４  穴
５  筒状体の先端
６  袋状体の補強材
６Ａ  袋状体開口部の補強材
６Ｂ  側面の穴の補強材
７  ペニス挿入口
８  位置固定用リング
９  伸縮を押さえる補強手段
１０  袋状体開口部
１１  巻き取り具
１１Ａ  前部の巻き取り具
１１Ｂ  後部の巻き取り具
１２  紐
１３  帯
１４  隙間
１５  細い溝
１５Ａ  細い溝
１５Ｂ  細い溝
Ｌ１  円錐体前部の長さ、
Ｌ２  円錐体後部の長さ